(57)【要約】【課題】  利用者が自身を傘の中心に置くために中棒を肩に傾けても傘全体が傾かないようにする。また、利用者が他の人に対して傘を差しかける場合であって、利用者と他の人との距離が遠い場合であっても、傘全体が傾かないようにする。【解決手段】  本発明の傘の中棒は、上部、中間部および下部で構成される傘の中棒であって、中間部は、前記上部の第一仮想軸から所定の角度をもって構成されることを特徴とする。【選択図】      図３
2020124502.tif 000002
【特許請求の範囲】
【請求項１】
上部、中間部および下部で構成される傘の中棒であって、
前記中間部は、前記上部の第一仮想軸から所定の角度をもって構成される傘の中棒。
【請求項２】
前記上部の第一仮想軸は、前記下部の第二仮想軸と略同一平面上にあり、かつ略平行であり、
前記中間部は、前記上部と前記下部とを接続するよう、前記第一仮想軸から所定の角度をもって構成される請求項１に記載の傘の中棒。
【請求項３】
前記中間部は、上部固定部および下部固定部を有し、
前記傘に取り付けられる下ロクロは、前記下部固定部および前記上部固定部の間を摺動可能に取り付けられることを特徴とする請求項１または２に記載の傘の中棒。
【請求項４】
前記上部と前記中間部との間の第一接続部、および／または、前記下部と前記中間部との第二接続部は稼働機構を有することを特徴とする請求項１から３のいずれか一項に記載の傘の中棒。
【請求項５】
前記稼働機構は、
前記下ロクロが前記下部固定部で固定されている場合には、前記第一仮想軸および前記第二仮想軸が略同一となり、
前記下ロクロが前記上部固定部で固定されている場合には、前記第一仮想軸および前記第二仮想軸が略同一平面上にあり、かつ略平行となるよう、
前記下ロクロが前記下部固定部から前記上部固定部に向かって摺動されるに伴って稼働することを特徴とする請求項４に記載の傘の中棒。
【請求項６】
前記下部の前記第二接続部の反対側の端部には手元が取り付けられることを特徴とする請求項４または５に記載の傘の中棒。
【請求項７】
前記第一接続部および前記第二接続部は、折り曲げおよび復元可能な材料および／または構造により製造されることを特徴とする請求項４から６のいずれか一項に記載の傘の中棒。
【請求項８】
前記中間部は、伸縮可能に構成されることを特徴とする請求項１から７のいずれか一項に記載の傘の中棒。
【請求項９】
請求項１から８のいずれか一項に記載の傘の中棒を備える傘。
【発明の詳細な説明】
【技術分野】
【０００１】
本発明は、傘の中棒および傘に関する。
【背景技術】
【０００２】
従来の傘は、石突から手元まで中棒が一直線状に真直ぐ構成されるのが一般的である。
【０００３】
ところがこの場合、利用者が自身を傘の中心に置くために中棒を傾けると、傘全体が傾いてしまう。そのため、下方に傾いた側の露先から雨水が大量に落ちて、利用者の衣服を濡らしてしまうといった問題がある。
【０００４】
また、利用者が他の人に対して傘を差しかける場合、利用者と他の人との距離が遠いと傘全体が傾いてしまう。この場合にも、下方に傾いた側の露先から雨水が大量に落ちて、他の人の衣服を濡らしてしまうといった問題がある。
【０００５】
これらのような問題に対し、引用文献１には、中棒を傘の中心から移動させた発明が記載されている。しかしながら、引用文献１に記載された発明は、傘の骨の全体構造を変える必要があり、製造が容易ではない。
【先行技術文献】
【特許文献】
【０００６】
【特許文献１】特開２０１２−１１０６６０号公報
【発明の概要】
【発明が解決しようとする課題】
【０００７】
本開示の目的は、上述した従来技術の問題の少なくとも一部を解決又は緩和する技術的な改善を提供することである。本開示のより具体的な目的の一つは、利用者が自身を傘の中心に置くために中棒を傾けても傘全体が傾かないようにすることである。また、本開示のより具体的な目的の一つは、利用者が他の人に対して傘を差しかける場合であって、利用者と他の人との距離が遠い場合であっても、傘全体が傾かないようにすることである。
【課題を解決するための手段】
【０００８】
本発明の傘の中棒は、上部、中間部および下部で構成される傘の中棒であって、上部の第一仮想軸は、下部の第二仮想軸と同一平面上にあり、かつ平行であり、中間部は、上部と下部とを接続するよう、第一仮想軸から所定の角度をもって構成されることを特徴とする。
【０００９】
上記「同一平面上」および「平行」は、製造上生じる多少のずれを許容するものであり、本発明の権利範囲は「略同一平面状」および「略平行」を含むものとする。
【００１０】
中間部は、上部固定部および下部固定部を有し、傘に取り付けられる下ロクロは、下部固定部および上部固定部の間を摺動可能に取り付けられることができる。
【００１１】
上部と中間部との間の第一接続部、および、下部と中間部との第二接続部は稼働機構を有することができる。
【００１２】
稼働機構は、下ロクロが下部固定部で固定されている場合には、第一仮想軸および第二仮想軸が略同一となり、下ロクロが上部固定部で固定されている場合には、第一仮想軸および第二仮想軸が略同一平面上にあり、かつ略平行となるよう、下ロクロが下部固定部から上部固定部に向かって摺動されるに伴って稼働することができる。
【００１３】
下部の第二接続部の反対側には手元が取り付けられることができる。
【００１４】
第一接続部および第二接続部は、折り曲げおよび復元可能な材料および／または構造により製造されることができる。
【００１５】
中間部は、伸縮可能に構成されることができる。
【００１６】
本発明の傘は、上記傘の中棒を備えることを特徴とする。
【発明の効果】
【００１７】
本発明によれば、上述した従来技術の問題の少なくとも一部を解決又は緩和する技術的な改善を提供することができる。また、利用者が自身を傘の中心に置くために中棒を肩に傾けても、傘全体が傾かないようにすることができる。また、利用者が他の人に対して傘をさしかけてあげる場合であって、利用者と他の人との距離が遠い場合であっても、傘全体が傾かないようにすることができる。これにより、利用者または他の人が雨に直接濡れること、および、露先から落ちた雨水に濡れることを防ぐことができる。
【図面の簡単な説明】
【００１８】
【図１】従来の傘の基本構造を説明するための模式図である。
【図２】従来の傘の骨の構造を説明するための模式図である。
【図３】本発明の傘の中棒の構造の一例を説明するための模式図である。
【図４】本発明の傘の中棒の構造の一例を説明するための模式図である。
【図５】本発明の傘の中棒の構造の一例を説明するための模式図である。
【図６】本発明の傘の中棒の構造の一例を説明するための模式図である。
【図７】本発明の傘の中棒の構造の一例を説明するための模式図である。
【図８】本発明の傘の使用例を説明するための模式図である。
【図９】本発明の傘の他の使用例を説明するための模式図である。
【図１０】本発明の傘の他の使用例を説明するための模式図である。
【図１１】本発明の傘の中棒の構造の他の例を説明するための模式図である。
【図１２】本発明の傘の中棒の構造の他の例を説明するための模式図である。
【図１３】本発明の傘の他の使用例を説明するための模式図である。
【発明を実施するための形態】
【００１９】
本発明の傘の中棒および傘の実施形態について、図面を参照しながら説明する。
【００２０】
初めに、従来の傘の基本構造について説明する。図１は、従来の傘の一例を示したものである。
図１に示されるように、従来の傘９００は、骨９０１、手元９０２および生地９０３からなる。骨９０１は、図２に示されるように、中棒９０４、上ロクロ９０５、石突９０６、親骨９０７、受け骨９０８、露先９０９、ダボ９１０および下ロクロ９１１を備える。中棒９０４は、上ハジキ９１２および下ハジキ９１３を有する。
【００２１】
図３は、本開示における一の実施形態に係る中棒を備える傘の一例を示したものである。
本開示における一の実施形態に係る中棒を備える傘１００は、図３に一例として示されるように、骨１０１、手元１０２および生地１０３を備える。
【００２２】
そして、骨１０１は、図４に一例として示されるように、中棒１０４、上ロクロ１０５、石突１０６、親骨１０７、受け骨１０８、露先１０９、ダボ１１０および下ロクロ１１１を備える。中棒１０４は、上ハジキ１１２および下ハジキ１１３を有する。
【００２３】
本開示における一の傘１００は、本発明の特徴である中棒１０４以外の構成は従来の傘９００と同じ構成とすることができる。
【００２４】
図５は、説明のために本開示における一の実施形態に係る傘の中棒のみを示したものである。
図５に示されるように、本開示における一の実施形態に係る傘の中棒１０４は、上部１０、中間部２０および下部３０で構成される。
【００２５】
上部１０、中間部２０および下部３０は、一つの部材で連続的に構成されることもできるし、別の部材を組み合わせることで構成されることもできる。
【００２６】
また、図６に示されるように、上部１０の第一仮想軸１０ａは、下部３０の第二仮想軸３０ａと同一平面上にあり、かつ平行である。
【００２７】
そして、中間部２０は、上部１０と下部３０とを接続するよう、第一仮想軸１０ａから所定の角度θをもって構成されることを特徴とする。具体的には、中間部２０の中心軸２０ａと第一仮想軸１０ａとのなす角をθとする。
【００２８】
図７（ａ）に示すように、傘の中棒の全長を不変とした場合、中間部２０の第一仮想軸１０ａからの角度θが大きい方が、第一仮想軸１０ａと第二仮想軸３０ａとの間の距離Ｄが大きくなるため、体格の良い利用者等に適した傘となる。一方、図７（ｂ）に示すように、上記角度θが小さい方が、第一仮想軸１０ａと第二仮想軸３０ａとの間の距離Ｄが小さくなるため、細身の利用者等に適した傘となる。
【００２９】
角度θの値は利用者の種別や用途に応じて適宜設定することができる。また、かかる角度θを利用者が自由に調整できるようにしてもよい。かかる構成については後述する。
【００３０】
図８は、利用者自身が本発明に係る傘を差した例である。この場合、中間部２０が利用者に近づいて傾く方向に傘を持つことで、利用者の頭部の中心が傘の中心にくるが、傘全体は傾かないため、露先からの雨のしずくが一度に大量に落ちてくることを防ぐことができる。
【００３１】
また、図９は、利用者が他の人に傘を差しかける例を示した図である。この場合、中間部２０が他の人に近づいて傾く方向に傘を持つことで、他の人の頭部の中心が傘の中心にくるが、傘全体は傾かないため、露先から雨のしずくが一度に大量に落ちてくることを防ぐことができる。
【００３２】
このように、他の人に傘を差しかける必要がある場面は多々ある。例えば、車に乗り込む人、スピーチを行っている人、お墓に花を手向ける人に傘を差しかける場合などが想定されるが、これらの人は要人である場合も多い。
【００３３】
要人に対して差し掛けた傘から雨のしずくが流れ落ち、要人およびその衣服を濡らしてしまうことは避けるべきである。
【００３４】
以上の構成により、利用者が中棒を肩に預けても、傘全体が傾かないようにすることができる。また、利用者が他の人に対して傘を差しかけてあげる場合であっても、容易に傘全体が傾かないようにすることができる。これにより、利用者または他の人が雨に直接濡れること、および、露先から落ちた雨水に濡れることを防ぐことができる。
【００３５】
また、図１０に示すように、本発明の中棒１０４を備える傘は、畳んでいる場合に石突１０６が利用者から離れるように持つことで、利用者の靴を濡らすことを防ぐこともできる。
【００３６】
図４に示したように、中間部２０は、上部固定部１１２および下部固定部１１３を有し、傘に取り付けられる下ロクロ１１１は、下部固定部１１３および上部固定部１１２の間を摺動可能に取り付けられることができる。
【００３７】
上部固定部１１２および下部固定部１１３は、それぞれ上ハジキ１１２および下ハジキ１１３に対応するものとするが、これに限られるものではなく、下ロクロ１１１を固定可能なものであればよい。
【００３８】
傘の下ロクロ１１１は、下部固定部１１３および上部固定部１１２の間に取り付けることで、上部１０、中間部２０および下部３０が一直線上に無くとも不都合なく摺動することができる。なお、下部固定部１１３が下部３０に、上部固定部１１２が上部１０にある場合であっても、下ロクロ１１１の軸の穴のサイズを調整することにより、中棒１０４の全体を摺動可能とさせることができる。
【００３９】
また、上部１０と中間部２０との間の第一接続部、および／または、下部３０と中間部２０との第二接続部は稼働機構を有することができる。
【００４０】
かかる稼働機構は、例えば第一接続部および第二接続部の部材を、折り曲げ可能かつ復元可能な材料および／または構造（例えば蝶番を設ける等）で製造することで実現可能である。かかる構成によれば、利用者が自身の好きな角度で中間部を傾斜させることができる。
【００４１】
稼働機構は、下ロクロ１１１が下部固定部１１３で固定されている場合には、第一仮想軸１０ａおよび第二仮想軸３０ａが同一となり、第二仮想軸３０ａが同一平面上にあり、かつ平行となるよう、下ロクロ１１１が下部固定部１１３から上部固定部１１２に向かって摺動されるに伴って稼働することができる。
【００４２】
かかる稼働機構は、例えば上部１０、中間部２０、下部３０を別の部材とし、各部材間を内部においてワイヤまたはゴム等で繋ぐことで実現可能である。かかる構成によれば、下ロクロ１１１が下部固定部１１３で固定されている場合、すなわち、傘が畳まれている場合には、中棒１０４が真直ぐとなり畳んだ際のデザイン性を損なわない。また、下ロクロ１１１が上部固定部１１２で固定されている場合、すなわち、傘が開かれている場合には、中棒１０４が折れ曲がる構成となり、上述した効果を奏することができる。
【００４３】
下部３０の第二接続部の反対側の端部には手元１０２が取り付けられることができる。手元１０２の形状は、図４に示すようなＪ字型の他、Ｌ字型、Ｏ字型、Ｉ字型（直線型）などの形状とすることができるが、これらに限られず様々な形状を採用することができる。このように、手元１０２の形状は特に限定されるものではないが、自身で差す場合と他の人に差しかける場合とで使い分けることができるよう、下部３０との接続部において回転可能な形状とするのが好ましい。
【００４４】
また、中間部２０は伸縮可能な構造（例えばテレスコピックパイプ構造等）とするのが好ましい。かかる構成によれば、傘を差しかける他の人との距離に応じて中間部２０を適切な長さに調整することができる。
【００４５】
さらに、上記中間部２０は、直線状である場合に限られず、弧を描いたり、デザイン性を高めるために他の形状としたりすることもできる。
【００４６】
なお、上記中棒以外の構造については従来の傘の構造と同様に構成してもよい。この場合、閉じた傘は少し膨らみを有することになるため、バンドに余裕を持たせておくのが好ましい。
【００４７】
あるいは、親骨１０７および受け骨１０８を中棒１０４に沿う形状に構成することもできる。この場合、閉じた傘も中棒１０４に沿った形状となるため、デザイン性に優れたものとなる。
【００４８】
続いて、本開示における他の実施形態に係る傘の中棒について説明を行う。
【００４９】
図１１に示すように、本開示における他の実施形態に係る傘の中棒１０４は、上部１０、中間部２０および下部３０で構成される。
【００５０】
上部１０、中間部２０および下部３０は、一つの部材で連続的に構成されることもできるし、別の部材を組み合わせることで構成されることもできる。
【００５１】
そして、図１２に示されるように、中間部２０は、上部１０と下部３０とを接続するよう、第一仮想軸１０ａから所定の角度θをもって構成されることを特徴とする。具体的には、中間部２０の中心軸２０ａと第一仮想軸１０ａとのなす角をθとする。
【００５２】
図１３は、利用者自身が本発明に係る傘を差した例である。この場合、中間部２０が利用者に近づいて傾く方向に傘を持つことで、利用者の頭部の中心が傘の中心にくるが、傘全体は傾かないため、露先からの雨のしずくが一度に大量に落ちてくることを防ぐことができる。
【００５３】
以上、本開示における傘の中棒は、中間部２０と下部３０とが真直ぐつながっている場合も含むものとする。
【００５４】
なお、かかる下部３０と中間部２０との第二接続部に関する構成以外の構成については、上述した一の実施形態の構成を適用できるものとする。
【００５５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１００    傘
１０１    骨
１０２    手元
１０３    生地
１０４    中棒
１０５    上ロクロ
１０６    石突
１０７    親骨
１０８    受け骨
１０９    露先
１１０    ダボ
１１１    下ロクロ
１１２    上ハジキ
１１３    下ハジキ
１０    上部
２０    中間部
３０    下部
【図１】
2020124502.tif 000003
【図２】
2020124502.tif 000004
【図３】
2020124502.tif 000005
【図４】
2020124502.tif 000006
【図５】
2020124502.tif 000007
【図６】
2020124502.tif 000008
【図７】
2020124502.tif 000009
【図８】
2020124502.tif 000010
【図９】
2020124502.tif 000011
【図１０】
2020124502.tif 000012
【図１１】
2020124502.tif 000013
【図１２】
2020124502.tif 000014
【図１３】
2020124502.tif 000015